(57)【特許請求の範囲】
【請求項１】
表示パネルと、
この表示パネルの表面側に設けたタッチパネルと、
このタッチパネルを保持するカバー体と、
を備え、
前記カバー体の素材と、前記タッチパネルの素材とを同一素材により構成し、
前記カバー体は、
前記タッチパネルを装着する開口部を有し、
前記開口部の縁部に、周囲に比べ厚肉の厚肉部と、前記タッチパネルの端縁部が取付けられた取付部とが形成されるとともに、前記タッチパネルは、端縁部が前記カバー体の開口部の縁部と溶着されていることを特徴とする表示装置。
【請求項２】
前記取付部は、前記タッチパネルの端縁部下面を下方から支持する支持部を有することを特徴とする請求項１に記載の表示装置。
【請求項３】
前記取付部は、前記タッチパネルの端縁部を嵌合する凹部を有することを特徴とする請求項１に記載の表示装置。
【請求項４】
前記カバー体の表面と前記タッチパネルの表面とが面一となるように、前記タッチパネルを前記カバー体に取付けたことを特徴とする請求項１〜３のいずれか１項に記載の表示装置。
【請求項５】
表示パネル上にタッチパネルを備えた表示装置の前記タッチパネルを保持するカバー体において、
前記カバー体の素材と、前記タッチパネルの素材とを同一素材により構成し、
前記表示パネルの表示領域と重なる領域に、前記タッチパネルを装着する開口部を有し、
前記開口部の縁部に、周囲に比べ厚肉の厚肉部と、前記タッチパネルの端縁部が取付けられる取付部とが形成されるとともに、前記タッチパネルは、端縁部が前記カバー体の開口部の縁部と溶着されていることを特徴とする表示装置のカバー体。
【請求項６】
表示パネルと、
この表示パネルの表面側に設けたタッチパネルと、
このタッチパネルを保持する開口部を有するカバー体と、
を備えた表示装置の製造方法において、
前記開口部の縁部に設けられた厚肉部を選択的に加熱して溶融させる溶融工程と、
溶融させた前記厚肉部と前記タッチパネルの端縁部とを当接させる当接工程と、
溶融させた前記厚肉部を冷却して硬化させる冷却工程と、
を有し、
前記溶融工程、前記当接工程及び前記冷却工程により前記タッチパネルの端縁部を前記カバー体の開口部の縁部に溶着することを特徴とする表示装置の製造方法。
【発明の詳細な説明】
【技術分野】
【０００１】
本発明は、表示装置、表示装置のカバー体及び表示装置の製造方法に関し、さらに詳細には、表示パネル上にタッチパネルを備えた表示装置、同表示装置のタッチパネルを保持するカバー体及び同表示装置の製造方法に関する。
【背景技術】
【０００２】
従来より、表示パネルに加え、タッチパネルを備えたタッチパネル式の表示装置が広く知られており、ＡＴＭ（Automatic Tellers Machine）、ＰＤＡ（Personal Digital Assistant）、携帯型ゲーム機、パーソナルコンピュータ、電気機器の制御盤など種々の機器に採用されている（例えば、下記特許文献１参照）。
【０００３】
この種の表示装置は、表示機能に加え、入力装置としての機能も有していることから、利用者の利便性を向上させることができ、また、制御ソフトウェアを用いて所望の入力ボタンを容易に表示することができるなどの利点がある。
【０００４】
タッチパネル式の表示装置の構成は、一般に、表示用の開口を有するカバー体と、このカバー体の開口と対応して配置される透明なタッチパネルと、このタッチパネルの背面に配置された表示パネルとを備えてなる（例えば、特許文献２参照）電子機器が開示提案されている。
【特許文献１】特開平１１−９８８５３号公報
【特許文献２】特開２００５−２０９８６８号公報
【発明の開示】
【発明が解決しようとする課題】
【０００５】
しかし、タッチパネル式の表示装置を電子ペーパーなどの薄型の装置に採用する場合、そのカバー体を薄くせざるを得ず、利用者の取り扱い時などに装置に捩れが生じやすい。カバー体に捩れが生じると、このカバー体に取り付けられたタッチパネルや表示パネルの位置がずれる場合があり、品質が劣化してしまう恐れがある。
【０００６】
例えば、カバー体の開口とタッチパネルとの位置関係がずれると、タッチパネルの一部がカバー体裏面に隠れて利用者に操作できない領域ができる恐れがある。また、タッチパネルと表示パネルとの位置関係がずれると、正確にタッチパネルへの操作ができなくなったりする恐れがある。
【０００７】
そこで、本発明は、薄型化した表示装置に生じる捩れを抑制して品質を向上させることができる表示装置、表示装置のカバー体及び表示装置の製造方法を提供することを目的とする。
【課題を解決するための手段】
【０００８】
そこで、請求項１に係る本発明では、表示パネルと、この表示パネルの表面側に設けたタッチパネルと、このタッチパネルを保持するカバー体とを備え、前記カバー体の素材と、前記タッチパネルの素材とを同一素材により構成し、前記カバー体は、前記タッチパネルを装着する開口部を有し、前記開口部の縁部に、周囲に比べ厚肉の厚肉部と、前記タッチパネルの端縁部が取付けられた取付部とが形成されるとともに、前記タッチパネルは、端縁部が前記カバー体の開口部の縁部と溶着されている表示装置とした。
【０００９】
また、請求項２に係る本発明では、請求項１に記載の表示装置において、前記取付部は、前記タッチパネルの端縁部下面を下方から支持する支持部を有することを特徴とする。
【００１０】
また、請求項３に係る本発明では、請求項１に記載の表示装置において、前記取付部は、前記タッチパネルの端縁部を嵌合する凹部を有することを特徴とする。
【００１３】
また、請求項４に係る本発明では、請求項１〜３のいずれか１項に記載の表示装置において、前記カバー体の表面と前記タッチパネルの表面とが面一となるように、前記タッチパネルを前記カバー体に取付けたことを特徴とする。
【００１４】
また、請求項５に係る本発明では、表示パネル上にタッチパネルを備えた表示装置の前記タッチパネルを保持するカバー体において、前記カバー体の素材と、前記タッチパネルの素材とを同一素材により構成し、前記表示パネルの表示領域と重なる領域に、前記タッチパネルを装着する開口部を有し、前記開口部の縁部に、周囲に比べ厚肉の厚肉部と、前記タッチパネルの端縁部が取付けられる取付部とが形成されるとともに、前記タッチパネルは、端縁部が前記カバー体の開口部の縁部と溶着されている表示装置のカバー体とした。
【００１５】
また、請求項６に係る本発明では、表示パネルと、この表示パネルの表面側に設けたタッチパネルと、このタッチパネルを保持する開口部を有するカバー体とを備えた表示装置の製造方法において、前記開口部の縁部に設けられた厚肉部を選択的に加熱して溶融させる溶融工程と、溶融させた前記厚肉部と前記タッチパネルの端縁部とを当接させる当接工程と、溶融させた前記厚肉部を冷却して硬化させる冷却工程と、を有し、前記溶融工程、前記当接工程及び前記冷却工程により前記タッチパネルの端縁部を前記カバー体の開口部の縁部に溶着する表示装置の製造方法とした。
【発明の効果】
【００１６】
請求項１に係る本発明では、表示パネルと、この表示パネルの表面側に設けたタッチパネルと、このタッチパネルを保持するカバー体とを備え、前記カバー体の素材と、前記タッチパネルの素材とを同一素材により構成し、前記カバー体は、前記タッチパネルを装着する開口部を有し、前記開口部の縁部に、周囲に比べ厚肉の厚肉部と、前記タッチパネルの端縁部が取付けられた取付部とが形成されるとともに、前記タッチパネルは、端縁部が前記カバー体の開口部の縁部と溶着されている表示装置としたため、カバー体の開口部の縁部に形成された厚肉部により、この部分において捩れ方向に加わる力に対する強度を向上させることができるので、表示装置全体としての捩れ方向に加わる力に対する強度を向上させることができる。
【００１７】
しかも、カバー体の開口部の縁部にタッチパネルの端縁部を取付けたため、表示装置に対して捩れ方向の力が加えられても、タッチパネルにその力が加わり難くなり、タッチパネルの破損を防止することができる。また、前記タッチパネルは、端縁部が前記カバー体の開口部の縁部と溶着されているため、タッチパネルとカバー体との接着力が向上して、表示装置の機械的強度をさらに向上させることができる。さらに、前記カバー体の素材と、前記タッチパネルの素材とを同一素材により構成したため、タッチパネルとカバー体との溶着部分において、タッチパネルとカバー体とを一体化させることができ、これにより、表示装置の機械的強度をより一層向上させることができる。また、カバー体の素材と、タッチパネルの素材とを同一素材により構成しているため、カバー体とタッチパネルの熱膨張率が等しくなり、熱変形を起こしてもカバー体と、タッチパネルとの間にずれが生じない。
【００１８】
また、請求項２に係る本発明では、請求項１に記載の表示装置において、前記取付部は、前記タッチパネルの端縁部下面を下方から支持する支持部を有することを特徴とするため、タッチパネルの上面側から加えられる力に対する機械的強度を向上させることができる。
【００１９】
また、請求項３に係る本発明では、請求項１に記載の表示装置において、前記取付部は、前記タッチパネルの端縁部を嵌合する凹部を有することを特徴とするため、カバー体によるタッチパネルの保持力が向上することとなり、表示パネルに対するタッチパネルの位置ずれを防止することができる。
【００２２】
また、請求項４に係る本発明では、請求項１〜３のいずれか１項に記載の表示装置において、前記カバー体の表面と前記タッチパネルの表面とが面一となるように、前記タッチパネルを前記カバー体に取付けたことを特徴とするため、当該表示装置の美観が向上するだけでなく、タッチパネルとカバー体との間に物が引っ掛かる等して当該表示装置が破損することを防止することができる。
【００２３】
また、請求項５に係る本発明では、表示パネル上にタッチパネルを備えた表示装置の前記タッチパネルを保持するカバー体において、前記カバー体の素材と、前記タッチパネルの素材とを同一素材により構成し、前記表示パネルの表示領域と重なる領域に、前記タッチパネルを装着する開口部を有し、前記開口部の縁部に、周囲に比べ厚肉の厚肉部と、前記タッチパネルの端縁部が取付けられる取付部とが形成されるとともに、前記タッチパネルは、端縁部が前記カバー体の開口部の縁部と溶着されているカバー体としたため、前記カバー体の開口部の縁部に形成された厚肉部により、この部分において捩れ方向に加わる力に対する強度を向上させることができるので、表示装置全体としての捩れ方向に加わる力に対する強度を向上させることができる。
【００２４】
また、請求項６に係る本発明では、表示パネルと、この表示パネルの表面側に設けたタッチパネルと、このタッチパネルを保持する開口部を有するカバー体とを備えた表示装置の製造方法において、前記開口部の縁部に設けられた厚肉部を選択的に加熱して溶融させる溶融工程と、溶融させた前記厚肉部と前記タッチパネルの端縁部とを当接させる当接工程と、溶融させた前記厚肉部を冷却して硬化させる冷却工程と、を有し、前記溶融工程、前記当接工程及び前記冷却工程により前記タッチパネルの端縁部を前記カバー体の開口部の縁部に溶着するため、カバー体に形成された開口部の縁部がその周囲に比べ厚肉になり、この部分において捩れ方向に加わる力に対する強度を向上させた表示装置を製造することができる。
【発明を実施するための最良の形態】
【００２５】
以下、本発明の一実施形態について、図面を参照して説明する。ここでは、表示装置の一例として、内部に記憶している書籍データを表示する電子ブックを挙げて説明する。
【００２６】
図１は、本実施形態に係る表示装置（以下、「電子ブック」という。）の斜視による説明図であり、図２は、図１のＡ−Ａ´線による断面説明図、及び、タッチパネル端縁部の断面を示す部分拡大図であり、図３は、本実施形態の変形例に係る電子ブックのタッチパネル端縁部における断面を示す部分拡大図であり、図４は、本実施形態に係る電子ブックの製造工程の一部を示す断面説明図である。
【００２７】
図１に示すように、本実施形態に係る電子ブック１は、上面にタッチパネル２を装着する開口部３を有する上部カバー体４ａと下部カバー体４ｂとからなるカバー体４を備えている。図１に示すように、カバー体４には、使用者が操作する操作手段として操作ボタン５が取り付けられている。電子ブック１の起動や当該電子ブック１が有する各種機能を後述の制御部６に実行させるために使用者は、操作ボタン５を操作する。
【００２８】
この電子ブック１は、図２に示すように、カバー体４の内部に、複数種類の書籍データを記憶した記憶手段と、当該電子ブック１全体の動作を統括制御する制御手段とを備えた制御部６と、この制御部６の制御に基づいて書籍データや操作画面等を表示する表示手段としての表示パネル７と、この表示パネル７の表面側に配設され、表示パネル７に操作画面を表示しているときに、その操作画面上の所定位置に使用者が触れると、所定の機能を制御部６に実行させる信号を制御部６へ出力するタッチパネル２と、表示制御用の回路基板１２とを備えている。
【００２９】
そして、この電子ブック１は、使用者が操作ボタン５を操作するか、又は操作画面上のタッチパネル２の所定位置に触れることによって、所望の書籍データを表示パネル７上に選択表示させて、読書を楽しむことができるように構成した装置である。
【００３０】
この電子ブック１は、形態時の利便性を考慮して、図２に示すように装置全体を薄型化しているが、このように装置全体を薄型化した場合、使用中や携行中に外部から当該電子ブック１を湾曲させる方向に力（機械的負荷）が加わると、一時的に装置が捩れるおそれがある。
【００３１】
このように電子ブック１に捩れが生じると、カバー体４に保持されているタッチパネル２が破損したり、タッチパネル２の表示パネル７に対する位置にずれが生じることがある。
【００３２】
タッチパネル２に上記した位置ずれが生じると、使用者がタッチパネル２において操作画面上の所定位置に対応した部分に触れても、電子ブック１の制御部６に所望の制御を実行させることができなくなるおそれがある。
【００３３】
そのため、本実施形態の電子ブック１では、上部カバー体４ａにおけるタッチパネル２の取付の構造を工夫することによって、捩じる方向に加わる力に対する上部カバー体４ａの強度を向上させている。
【００３４】
この電子ブック１では、図２に示すように、上部カバー体４ａのタッチパネル２を装着保持する開口部３の端部に、周囲の厚さｍに比べ厚肉な厚さＭの厚肉部８と、タッチパネル２の端縁部が取付けられた取付部９とが形成されている
すなわち、本実施形態では、厚肉部８の厚さＭを周囲の厚さｍよりも厚肉に形成することによって、上部カバー体４ａの開口部３の縁部分に、開口部３を補強する厚肉部８と、タッチパネルの端縁部の周面を保持する環状の取付部９を設けている。なお、図２中の符号１１は、取付部９と表示パネル７の端縁部との間に介在させた緩衝材である。
【００３５】
本実施形態では、開口部の大きさ（面積）を141．425×205ｍｍ２とし、厚肉部８の厚さＭを2.2ｍｍとし、厚肉部９周囲の厚さｍを1.5ｍｍとし、タッチパネルの厚みを0.7ｍｍとしている。
【００３６】
このように、上部カバー体４ａの開口部３に、周囲よりも肉厚な厚肉部８と取付部９とを設けることによって、開口部３を捩じる方向に加わる力に対する上部カバー体４ａの強度を向上させることができるので、タッチパネル２が外部からの機械的負荷により湾曲し難くなり、タッチパネルの破損を防止することができる。
【００３７】
また、この電子ブック１では、タッチパネル２の端縁上部にフランジを設けると共に、上部カバー体４ａに設けた上記取付部９に、タッチパネルのフランジの下面を下方から支持する支持部１０を設けている。
【００３８】
すなわち、本実施形態では、開口部３の縁部を図２に示すように、断面視Ｌ字形状となるように形成している。
【００３９】
このように、取付部９に、タッチパネル２の端縁部下面を下方から支持する支持部１０を設けることによって、タッチパネル２の上面側から加えられる力に対する機械的強度を向上させることができる。
【００４０】
なお、ここでは、タッチパネル２の端縁上部にフランジを形成し、このフランジの下面を取付部９の支持部１０により下方から支持するように構成したが、タッチパネル２にフランジを設けることなく、タッチパネル２を単なる平板状に形成し、その端縁部を取付部９の支持部１０により下方から支持するように構成してもよい。
【００４１】
かかる構成にすれば、タッチパネル２の端縁部形状を加工する手間を省くことができるため、電子ブック１の製造コストを低減することができる。
【００４２】
また、この電子ブック１では、上部カバー体４ａの表面（上面）とタッチパネル２の表面（上面）とが面一となるように、タッチパネル２を上部カバー体４ａに取付けている。
【００４３】
これにより、電子ブック１の美観が向上するだけでなく、タッチパネル２と上部カバー体４ａとの間に物が引っ掛かる等して当該電子ブック１が破損することを防止することができる。
【００４４】
本実施形態では、上記のように、上部カバー体４ａのタッチパネル２が取付けられる開口部３の縁部を断面視Ｌ字形状に形成したが、本発明における開口部３の縁部形状は、これに限定するものではなく、厚肉部８の厚さＭが周囲の上部カバー体４ａの厚さｍよりも厚肉に形成して、捩じれ方向に加わる力に対する強度が向上する形状であれば、任意の形状に変形してもよい。
【００４５】
ここで、開口部３の縁部形状の変形例について、図３を参照して説明する。なお、図３において、図１及び図２に示した電子ブック１と同様の構成要件については、同一の符号を付して説明する。
【００４６】
変形例に係る電子ブック１ａの基本的構造は、図２に示した電子ブック１と同様であり、カバー体４のタッチパネル２が取付けられる開口部３近傍の構造だけが図２に示した電子ブック１と異なるため、以下、タッチパネル２が取付けられる開口部３近傍の構造について説明する。
【００４７】
図３（ａ）に示すように、この変形例に係る電子ブック１ａの上部カバー体４ａにおける開口部３の縁部は、図２に示した開口部３の縁部と同様に、その厚さＭが周囲の厚さｍよりも厚肉な厚肉部８ａと、タッチパネル２を取付ける取付部９ａとを備えており、この厚肉部８ａによって捩じれ方向にかかる力に対する強度を向上させている。
【００４８】
特に、この変形例に係る取付部９ａは、タッチパネル２の端縁部を嵌合する凹部１３を備えている。すなわち、この取付部９ａは、図３（ａ）に示すように、断面視コ字形状となるように形成している。
【００４９】
そのため、この電子ブック１ａでは、タッチパネル２を上部カバー体４ａに取付けた場合に、タッチパネル２の端縁部上下面を取付部９ａの凹部１３の内側面で挟持させることができるので、上部カバー体４ａによるタッチパネル２の保持力が、図２に示した電子ブック１よりも向上することとなり、表示パネル７に対するタッチパネルの位置ずれの発生を良好に防止することができる。
【００５０】
また、図３（ａ）に示す変形例では、タッチパネル２として、平板形状のタッチパネル２を用いているため、上部カバー体４ａの表面とタッチパネル２の表面とが面一となってはいないが、タッチパネル２の端縁部の形状を加工することによって、図３（ｂ）に示す電子ブック１ｂのように、上部カバー体４ａの表面（上面）とタッチパネル２の表面（上面）とが面一となるように形成することもできる。
【００５１】
すなわち、取付部９ａに凹部１３を備えた上部カバー体４ａの表面（上面）と、タッチパネル２の表面（上面）とを面一となるように形成する場合には、図３（ｂ）に示すように、予めタッチパネル２の端縁下部にフランジを設けておく。
【００５２】
このとき、タッチパネル２におけるフランジよりも上側の厚さと、凹部１３の上部を構成する部分の上部カバー体４ａの厚さとが等しくなるように形成しておく。
【００５３】
このように、タッチパネル２の形状を加工しておくことによって、図３（ｂ）に示すように、上部カバー体４ａの表面（上面）とタッチパネル２の表面（上面）とが面一となるように形成することができる。
【００５４】
電子ブック１ｂをかかる形状とすることによって、図２に示した電子ブック１と同様に、当該電子ブック１ｂの美観が向上するだけでなく、タッチパネル２と上部カバー体４ａとの間に物が引っ掛かる等して当該電子ブック１ｂが破損することを防止することができる。
【００５５】
ここで、本実施形態に係る電子ブックの製造方法について、図４を参照して説明する。ここでは、電子ブックの製造工程におけるタッチパネルの取付け工程について説明する。
【００５６】
図２に示す上部カバー体４ａにおける開口部３の縁部が断面視Ｌ字形状の電子ブックを製造する場合には、図４（ａ）に示すように、開口部３の端部に、開口部３の下方側へ向けて垂下した厚肉部８を有する上部カバー体４ａと、平板形状のタッチパネル２とを用意する。
【００５７】
このとき、上部カバー体４ａとして、ポリエチレンテレフタレート（ＰＥＴ）又はポリカーボネート（ＰＣ）等の熱溶融性を有する耐衝撃性の高い素材により形成した上部カバー体４ａを用意し、さらに、この上部カバー体４ａと同一素材により構成したタッチパネル２を用意する。
【００５８】
そして、上部カバー体４ａにタッチパネル２を取付ける際には、図４（ｂ）に示すように、タッチパネル２を上部カバー体４ａの開口部に嵌合する。
【００５９】
このとき、タッチパネル２の上面と上部カバー体４ａの上面とが面一となるように上下方向における位置合わせを行う。
【００６０】
そして、上部カバー体４ａの開口部３から下方側へ向けて垂下させた厚肉部８を選択的に加熱することによって、この厚肉部８部分を溶融させる。なお、図４において、破線のハッチングを付している領域が加熱により溶融させている部分である。
【００６１】
その後、図４（ｃ）に示すように、加熱により溶融している厚肉部８をタッチパネル２側へ押し曲げることにより、厚肉部８の上面をタッチパネル２の端縁部下面に当接させ、その後、この厚肉部８部分を冷却することによって硬化させる。このとき、開口部３の縁部において、タッチパネル２の端縁部下面と当接する部分が取付部９となる。
【００６２】
このとき、加熱された厚肉部８をタッチパネル２の端縁部下面に当接させることにより、タッチパネル２の端縁部下面を溶融させ、その後、冷却することにより硬化させて、タッチパネルの端縁部と取付部９とを溶着する。
【００６３】
このように、本実施形態では、タッチパネル２を上部カバー体４ａに取付ける際、タッチパネル２の端縁部を上部カバー体４ａの開口部３の縁部に溶着させているため、タッチパネル２とカバー体４との接着力が向上して、電子ブックの機械的強度をさらに向上させることができる。
【００６４】
しかも、上記のように、本実施形態では、タッチパネル２と上部カバー体４ａとを共に同一素材により構成しているため、タッチパネル２と上部カバー体４ａとの溶着部分において、タッチパネル２と上部カバー体４ａとを一体化させることができ、これにより、電子ブックの機械的強度をより一層向上させることができる。
【００６５】
なお、本実施形態では、上部カバー体４ａの厚肉部８を周囲に比べ厚肉となるように予め加熱して溶融させるようにしたが、上部カバー体４ａの厚肉部８と、タッチパネル２の端縁部下面側とを共に加熱しておき、その後、厚肉部８の溶融部分をタッチパネル２側へ押し曲げるようにしてもよい。
【００６６】
こうすることにより、上部カバー体４ａとタッチパネル２とをより良好に溶着させることができる。
【００６７】
次に、図３に示した断面視コ字形状の凹部１３を備えた取付部９ａを有する電子ブック１ａを製造する場合について説明する。この場合、図４（ｄ）に示すように、上部カバー体４ａの下面に、開口部３を包囲するように形成した角筒状の厚肉部８ａを有する上部カバー体４ａを用意する。
【００６８】
この上部カバー体４ａでは、厚肉部８ａの角筒の空洞部断面積を開口部３の面積よりも大きくすることによって、開口部３の端部近傍における断面視が図４（ｄ）に示すようにＴ字形状となるように、すなわち、断面視において、厚肉部８ａが開口部３の端部から所定長だけ開口部３の外側に位置するように形成している。
【００６９】
次に、図４（ｅ）に示すように、端縁下部にフランジを設けたタッチパネル２を、上部カバー体４ａの下面側から開口部３に嵌合する。なお、この電子ブックにおいても、上部カバー体４ａとタッチパネル２とは、いずれも熱溶融性を有する耐衝撃性の高い樹脂素材により構成する。
【００７０】
また、このタッチパネル２は、開口部３に嵌合した際、その上面が上部カバー体４ａの上面と面一になるように、予め端縁部の形状を加工しておく。
【００７１】
次に、厚肉部８ａを選択的に加熱することによって、この厚肉部８ａを溶融させる。その後、加熱により溶融している厚肉部８ａをタッチパネル２側へ押し曲げることにより、厚肉部８ａの上面をタッチパネル２の端縁部下面に当接させ、その後、この厚肉部８ａを冷却することによって硬化させる。
【００７２】
こうして厚肉部８ａをタッチパネル２側へ押し曲げることによって、図４（ｆ）に示すように、取付部９ａに、タッチパネル２の端縁部を嵌合する凹部１３が形成され、この凹部１３によって、タッチパネル２のフランジ部分を挟持するようにしている。
【００７３】
このとき、加熱された厚肉部８ａをタッチパネル２の端縁部下面に当接させることにより、タッチパネル２の端縁部下面を溶融させ、その後、冷却することにより硬化させて取付部９ａに溶着する。
【００７４】
また、この製造工程においても、上部カバー体４ａの厚肉部８ａと、タッチパネル２の端縁部下面側とを共に加熱しておき、その後、厚肉部８ａの溶融部分をタッチパネル２側へ押し曲げるようにしてもよい。
【００７５】
こうすることにより、図４（ｃ）に示した電子ブックと同様に、上部カバー体４ａとタッチパネル２とをより良好に溶着させることができる。
【００７６】
また、上部カバー体４ａにタッチパネル２を取付ける方法は、図４（ａ）〜（ｃ）、図４（ｄ）〜（ｆ）に示した方法に限定するものではなく、上部カバー体４ａの開口部３の縁部をその周囲に比べ厚肉となるように溶かしつつ、タッチパネル２の端縁部を上部カバー体４ａの開口部３の縁部に溶着する方法であれば、任意の方法を用いることができる。
【００７７】
たとえば、図４（ｇ）に示すように、上部カバー体４ａの開口部３の端部に厚肉に形成した環状の厚肉部８ｂを設けておき、この厚肉部８ｂを加熱して溶融させる。
【００７８】
次に、図４（ｈ）に示すように、溶融させた厚肉部８ｂの上面にタッチパネル２の端縁部を当接させて、開口部３をタッチパネル２で閉塞する。
【００７９】
その後、タッチパネル２を下方側へ押圧することによって、図４（ｉ）に示すように、タッチパネル２の端縁部を溶融した厚肉部８ｂに埋め込むことにより、上部カバー体４ａにタッチパネル２を取付けてもよい。このとき、上部カバー体４ａに形成した開口部３の縁部におけるタッチパネル２端縁部下面との当接部分が取付部９ｂとなる。
【００８０】
かかる方法を用いれば、上部カバー体４ａにタッチパネル２を取付ける際に、厚肉部８ｂをタッチパネル２側へ押し曲げる作業が不要となるので、タッチパネル２の取付工程の簡略化を図ることができる。
【００８１】
本実施形態では、上記のように、タッチパネル２が取り付けられる上部カバー体４ａの開口部３の縁部を厚肉に形成することによって、カバー体４の捩じれ及びたわみを防止している。
【００８２】
一般に、板体のたわみ量は次式で表現される。たわみσ=（P・L３）/（48・E・I）「P：応力、L：長さ、E：ヤング係数、I：断面２次モーメント」。
【００８３】
たわみ量を小さくするには、断面２次モーメントを大きくする必要がある。そこで、断面２次モーメントの式は断面２次モーメントI=（b・D３）/12「b：断面幅、D：断面高さ」であり、断面２次モーメントを大きくするには、断面高さを高くすることが有効である。
【００８４】
よって、本実施形態に係る表示装置においては、開口部３の断面高さD=Mはｍ＋タッチパネルの厚さ以上とすることが好ましい。
【図面の簡単な説明】
【００８５】
【図１】本実施形態に係る表示装置を示す斜視による説明図である。
【図２】図１のＡ−Ａ´線による断面説明図、及び、タッチパネル端縁部の断面を示す部分拡大図である。
【図３】本実施形態の変形例に係る表示装置のタッチパネル端縁部における断面を示す部分拡大図である。
【図４】本実施形態に係る表示装置の製造工程の一部を示す断面説明図である。
【符号の説明】
【００８６】
１、１ａ、１ｂｓ  電子ブック
２  タッチパネル
３  開口部
４  カバー体
４ａ  上部カバー体
４ｂ  下部カバー体
５  操作ボタン
６  制御部
７  表示パネル
８、８ａ、８ｂ  厚肉部
９、９ａ、９ｂ  取付部
１０  支持部
【図１】
0004609512.tif 000002
【図２】
0004609512.tif 000003
【図３】
0004609512.tif 000004
【図４】
0004609512.tif 000005